(57)【要約】【課題】テープカセットが不自然な姿勢のまま装着されてしまうことを防止すると共に、テープカセット記録再生装置の省スペース化を図ることを目的とする。【解決手段】スライドカム４１上に、ロック解除機構６０及びスライドカムロック機構８０が設けてある。スライドカムロック機構８０は、単一であり、スライドカム４１をシャーシ２１に対してロックする。ロック解除機構６０は、ロック解除機構６０は、プレート６１と、逆Ｔ字形プレート６２と、Ｘ１側アーム６３と、Ｘ２側アーム６４等を有し、テープカセット１０がテープカセットホルダ３０内に正常な姿勢で押し込まれた場合にだけ正常に動作し、単一のスライドカムロック機構８０をロック解除状態とする。【選択図】図３
2007200438.tif 000002
【特許請求の範囲】
【請求項１】
シャーシと、
該シャーシに支持してあり、挿入されたテープカセットを支持するテープカセットホルダと、
該シャーシに移動可能に設けてあるスライドカムを有し、該スライドカムが移動することによって前記テープカセットホルダを該テープカセットと共にテープカセットイジェクト位置とテープカセット装着位置との間で移動させるテープカセットホルダ移動機構とを有するテープカセット記録再生装置において、
前記スライドカムを前記シャーシに対してロックする単一のロック機構と、
前記テープカセットホルダ内に挿入されたテープカセットの前面によって押される検知部を複数有し、一つの検知部が押された場合には、前記単一のロック機構をロック解除状態とはしないで、該複数の検知部が同時に押された場合に、該複数の検知部が前記テープカセットより受ける力によって前記単一のロック機構をロック解除状態とするロック解除機構とを有する構成としたことを特徴とするテープカセット記録再生装置。
【請求項２】
請求項１に記載のテープカセット記録再生装置において、
前記ロック解除機構は、
上記スライドカムに摺動可能に設けてあるプレートと、
該プレートに回動可能に支持されて左右側に拡がっており、夫々先端に検知部を備えている二つの回動レバーと、
前記プレートに回動可能に支持してあり、一つの検知部が押された場合にその検知部を有する回動レバーが回動することを許容し、二つの検知部が同時に押されて二つの回動レバーが同時に回動しようとした場合にその回動を制限して前記二つの検知部が前記テープカセットより受ける力を前記プレートに伝達する制御レバーとよりなる構成としたことを特徴とするテープカセット記録再生装置。
【請求項３】
シャーシと、
該シャーシに支持してあり、挿入されたテープカセットを支持するテープカセットホルダと、
該シャーシに移動可能に設けてあるスライドカムを有し、該スライドカムが移動することによって前記テープカセットホルダを該テープカセットと共にテープカセットイジェクト位置とテープカセット装着位置との間で移動させるテープカセットホルダ移動機構とを有するテープカセット記録再生装置において、
前記スライドカムを前記シャーシに対してロックする単一のロック機構と、
前記テープカセットホルダ内に挿入されたテープカセットの前面によって押される検知部を複数有し、一つの検知部が押された場合には、前記単一のロック機構をロック解除状態とはしないで、該複数の検知部の全部が押された場合に、該全部の検知部が前記テープカセットより受ける力によって前記単一のロック機構をロック解除状態とするロック解除機構とを有する構成としたことを特徴とするテープカセット記録再生装置。
【請求項４】
請求項３に記載のテープカセット記録再生装置において、
前記ロック解除機構は、
上記スライドカムに摺動可能に設けてあるプレートと、
該プレートに回動可能に支持されて左右側に拡がっており、夫々先端に検知部を備えている二つの回動レバーと、
前記プレートに回動可能に支持してあり、一つの検知部が押された場合にその検知部を有する回動レバーが回動することを許容し、二つの検知部が共に押されて二つの回動レバーが共に回動しようとした場合にその回動を制限して前記二つの検知部が前記テープカセットより受ける力を前記プレートに伝達する制御レバーとよりなる構成としたことを特徴とするテープカセット記録再生装置。
【請求項５】
請求項２又は請求項４に記載のテープカセット記録再生装置において、
前記二つの回動レバーと前記制御レバーとの間は、長孔とピンとの嵌合で連結してあり、
該長孔と該ピンとは、前記テープカセットホルダ内に最大に斜めの姿勢で挿入されたテープカセットによって前記一つの検知部が押された場合でも、該長孔と該ピンとの間に余裕が残っている構成としたことを特徴とするテープカセット記録再生装置。
【請求項６】
請求項２又は請求項４に記載のテープカセット記録再生装置において、
前記検知部は、ローラである構成としたことを特徴とするテープカセット記録再生装置。
【請求項７】
請求項２又は請求項４に記載のテープカセット記録再生装置において、
テープカセットイジェクト位置に位置するテープカセットホルダよりテープカセットを更に所定量押し出すテープカセット押し出し機構を有し、
前記プレートは、該テープカセット押し出し機構によって、前記テープカセットを前記テープカセットホルダより押し出す方向に移動されるようにしたことを特徴とするテープカセット記録再生装置。
【発明の詳細な説明】
【技術分野】
【０００１】
本発明はテープカセット記録再生装置に係り、特に、テープカセットが挿入されたテープカセットホルダを移動させることによってテープカセットを装着させるテープカセット記録再生装置に関する。
【背景技術】
【０００２】
図２８（Ａ），（Ｂ）は従来のテープカセット記録再生装置２００の停止モード時の平面図及び側面図であり、図２９はこのテープカセット記録再生装置２００を分解して示す。Ｘ１−Ｘ２は幅方向、Ｙ１−Ｙ２は奥行き方向、Ｚ１−Ｚ２は高さ方向である。
【０００３】
テープカセット記録再生装置２００は、箱形状のシャーシ２０１に、テープカセットホルダ２０２及びスライドカム２０３が取り付けてあり、スライドカム２０３のＸ１側に、ロック解除アーム２０４及びロックアーム２０５が設けてあり、スライドカム２０３のＸ２側に、ロック解除アーム２０６及びロックアーム２０７が設けてある構成である。
【０００４】
図２８（Ａ），（Ｂ）に示す停止モード時では、スライドカム２０３はＹ２方向に移動した位置にあって、ロックアーム２０５、２０７によって、Ｘ１及びＸ２側をシャーシ２にロックされている。
【０００５】
操作者は、テープカセット１０をフロントベゼルのテープカセット挿入口に挿入し、指先でテープカセット１０の背面１０ａを押して、テープカセット１０をテープカセットホルダ２０２内に押し込む操作をする。
【０００６】
テープカセット１０の前面１０ｂが左右のロック解除アーム２０４、２０６を同時に押して、ロック解除アーム２０４、２０６が回動され、これに連動してロックアーム２０５、２０７が回動されて、左右二箇所のロックが同時に解除され、スライドカム２０３がＹ１方向に少し押されて移動し、スイッチ（図示せず）がオンとなり、モータ２１０が始動し、スライドカム２０３がモータ２１０によってＹ１方向に移動され、テープカセットホルダ２０２が最初はＹ１方向に続いてＺ２方向に移動され、テープカセット１０がそのリール１２，１３がリール軸２１２，２１３と嵌合して装着される。
【０００７】
続いて、テープローディング機構が動作し、テープカセット１０から磁気テープ１１を引き出し、回転している回転ドラム２１５に巻きつけてテープローディングを完了する。続いて、磁気テープ１１が走行され、回転ドラム２１５内の磁気ヘッドによって情報の磁気記録及び再生が行なわれる。
【０００８】
テープカセットホルダ２０２は、テープカセット１０が挿入し易いように、テープカセット１０よりも少し大きいサイズとしてある。また、テープカセット１０をテープカセットホルダ２０２内に押し込む操作は操作者の手の操作でもってなされる。よって、操作の仕方によっては、テープカセット１０のうちＸ１側或いはＸ２側が余計に押し込まれて、その前面１０ｂがＸ１−Ｘ２線に対して斜めとなった状態で押し込まれる場合がありうる。
【０００９】
テープカセット１０がテープカセットホルダ２０２内に斜めの姿勢で保持された状態でテープカセットホルダ２０２が移動してテープカセット装着動作が行われると、場合によっては、リール１２，１３がリール軸２１２，２１３と当ってしまい、正常に装着されず、部品が損傷したりすることが起こりうる。
【００１０】
そこで、ロック解除アーム２０４、２０６を左右側に配置して、テープカセット１０の前面１０ｂが二つのロック解除アーム２０４、２０６を同時に押さない限りはロックが解除されず、モータによるテープカセット装着動作が開始されないようにしてある。
【特許文献１】特開２００１−５２３９６号公報
【発明の開示】
【発明が解決しようとする課題】
【００１１】
現在、テープカセット記録再生装置は限られた空間内に多数の部品が複雑に組み込まれた構成となっており、機能の向上のための部品の組み込み等のための空き空間を捜すことが難しい状況となっている。
【００１２】
スライドカム２０３をロックする機構についてみると、上記の従来のテープカセット記録再生装置２００は、ロックアーム２０５、２０７をＸ１側とＸ２側とに配置した構成となっており、Ｘ１側とＸ２側とが共に占められている構成となっており、ロック機構の部分を別の部品を組み込むために利用することが出来なかった。換言すれば、ロックアーム２０５、２０７がＸ１側とＸ２側とに配置してあるため、テープカセット記録再生装置の省スペース化を図る上で不利であった。
【００１３】
そこで、本発明は、上記課題を解決したテープカセット記録再生装置を提供することを目的とする。
【課題を解決するための手段】
【００１４】
そこで、上記課題を解決するため、本発明は、
シャーシ（２１）と、
該シャーシに支持してあり、挿入されたテープカセットを支持するテープカセットホルダ（３０）と、
該シャーシに移動可能に設けてあるスライドカムを有し、該スライドカムが移動することによって前記テープカセットホルダを該テープカセットと共にテープカセットイジェクト位置とテープカセット装着位置との間で移動させるテープカセットホルダ移動機構（２４、２５、４１、５１）とを有するテープカセット記録再生装置において、
前記スライドカムを前記シャーシに対してロックする単一のロック機構（８０）と、
前記テープカセットホルダ内に挿入されたテープカセットの前面によって押される検知部（６３ｂ、６４ｂ）を複数有し、一つの検知部が押された場合には、前記単一のロック機構をロック解除状態とはしないで、該複数の検知部が同時に押された場合に、該複数の検知部が前記テープカセットより受ける力によって前記単一のロック機構をロック解除状態とするロック解除機構（６０）とを有する構成としたことを特徴とする。
【００１５】
尚、上記参照符号は、あくまでも参考であり、これによって、本願発明が図示の態様に限定されるものではない。
【発明の効果】
【００１６】
本発明によれば、テープカセットがテープカセットホルダ内に正常な姿勢で挿入された場合にだけロック機構が解除されてテープカセット装着動作が行われ、テープカセットがテープカセットホルダ内に斜めの姿勢で挿入された場合にはロック機構が解除されず、テープカセットが不自然な姿勢のまま装着されてしまうこと、即ち、無理にテープカセット装着動作が行われることによって部品を損傷させてしまうことが防止することが出来、しかも、ロック機構が単一であるため、ロック機構を両側に一つづつ設けた構成に比較して、テープカセット記録再生装置の省スペース化を図ることが出来るという効果を有する。
【発明を実施するための最良の形態】
【００１７】
次に本発明の実施の形態について説明する。
【実施例１】
【００１８】
図１（Ａ），（Ｂ）は本発明の実施例１になるテープカセット記録再生装置２０を示し、図２はテープカセット記録再生装置２０を分解して示す。Ｘ１−Ｘ２は幅方向、Ｙ１−Ｙ２は奥行き方向、Ｚ１−Ｚ２は高さ方向である。図１（Ａ），（Ｂ）はテープカセット記録再生装置２０が停止モードにあるときの状態を示す。
【００１９】
テープカセット記録再生装置２０は、略箱形状のシャーシ２１内に回転ドラム２２、テープローディング機構２３、モータ２４、円板カム２５等が組み込んであり、また、シャーシ２１にテープカセットホルダ３０及びスライドカム４１等が組み付けてある構成である。
【００２０】
スライドカム４１上に、本発明の要部をなすロック解除機構６０及びスライドカムロック機構８０が設けてある。スライドカムロック機構８０は、単一であり、スライドカム４１をシャーシ２１に対してロックする。ロック解除機構６０は、テープカセット１０がテープカセットホルダ３０内に正常な姿勢で押し込まれた場合にだけ正常に動作する。
【００２１】
テープカセットホルダ３０は、両側のピン３１，３２をシャーシ２１のＬ字溝２１ａ，２１ｂに嵌合させて支持されており、Ｌ字溝２１ａ，２１ｂに沿ってＬ字状に移動可能である。
【００２２】
スライドカム４１は、シャーシ２１の上面の一部を覆う形状であり、両側のピン４２，４３をシャーシ２１の溝２１ｃ，２１ｄに嵌合させて支持されている。スライドカム４１の両側の斜め溝４４，４５が夫々ピン３１，３２と嵌合している。スライドカム４１は、Ｙ１−Ｙ２方向に溝２１ｃ，２１ｄの範囲内で移動可能である。
【００２３】
操作者は、テープカセット１０をフロントベゼルのテープカセット挿入口に挿入し、指先でテープカセット１０の背面１０ａを押して、テープカセット１０をテープカセットホルダ３０内に押し込む操作をする。
【００２４】
テープカセット１０が正常な姿勢でテープカセットホルダ３０内に押し込まれると、ロック解除機構６０が動作し、スライドカムロック機構８０によるロックが解除され、続いて、スライドカム４１が少しＹ１方向に移動され、これによって、光学スイッチ（図示せず）がオンとなり、モータ２４が駆動される。モータ２４によって、円板カム２５が回動され、円板カム２５の渦巻きカム溝によって回動アーム５１が固定軸２７に関して回動され、スライドカム４１がＹ１方向に移動される。このスライドカム４１の移動の過程で、斜め溝４４，４５によってピン３１，３２がＬ字溝２１ａ，２１ｂに沿って移動され、テープカセットホルダ３０は、最初にＹ１方向に移動され、続いてＺ２方向に移動されて、装着位置に移動される。テープカセットホルダ３０内のテープカセット１０はテープカセットホルダ３０と共に移動され、そのリール１２，１３がリール軸２１２，２１３と嵌合して装着される。
【００２５】
テープカセット１０がテープカセットホルダ３０に支持されて装着された状態において、テープローディング機構２３によってテープカセット１０から磁気テープ１１が引き出され回転ドラム２２に巻き付いた所定のテープパスにローディングされ、続いて磁気テープ１１がこの所定のテープパスに沿って走行され、回転ドラム２２内の回転ヘッドが磁気テープ１１をヘリカルスキャンして情報が磁気テープ１１に記録され、及び磁気テープ１１に記録された情報が再生される。
【００２６】
テープカセット１０の磁気テープ１１に対する記録再生が終了すると、モータ２４が駆動されて逆転し、テープローディング機構２３が逆方向に動作して、回転ドラム２２に巻き付いていた磁気テープ１１がテープカセット１０内に戻され、続いて、スライドカム４１がＹ２方向に移動され、テープカセットホルダ３０が最初にＺ１方向に、続いてＹ２方向に移動されて、テープカセット１０がイジェクトされる。
【００２７】
次に、ロック解除機構６０及びスライドカムロック機構８０について、図３及び図４を参照して説明する。
【００２８】
ロック解除機構６０及びスライドカムロック機構８０は共にスライドカム４１の上面に設けてあり、関連して動作する。
［ロック解除機構６０］
ロック解除機構６０は、プレート６１と、逆Ｔ字形プレート６２と、Ｘ１側アーム６３と、Ｘ２側アーム６４等を有し、Ｙ１−Ｙ２軸線に関して対称の構成である。
【００２９】
プレート６１は、逆Ｔ字形状であり、その長穴６１ａ，６１ｂをスライドカム４１のピン７１ａ，７１ｂに嵌合されており、Ｙ１−Ｙ２方向に短い距離Ｓの範囲でスライド可能である。プレート６１のＹ２側には、三本のピン６１ｃ，６１ｄ、６１ｅが、ピン６１ｃを中心に、ピン６１ｄがＸ１側に、ピン６１ｅがＸ２側に対称に配置されて植わっている。
【００３０】
後述する引っ張りコイルばね８３のばね力でもって、プレート６１は、通常、Ｙ２方向に移動した位置Ｐ１に位置している。
【００３１】
Ｘ１側アーム６３及びＸ２側アーム６４は共にＬ字形状であり、基部にピン６３ａ，６４ａを有し、先端にローラ６３ｂ，６４ｂを有する。Ｘ１側アーム６３及びＸ２側アーム６４は、基部に近い部分の孔６３ｃ，６４ｃを夫々ピン６１ｄ、６１ｅに嵌合されて回動可能に支持されている。
【００３２】
逆Ｔ字形プレート６２は、Ｙ２側の部分の中央に孔６２ａを有し、Ｘ１側に長穴６２ｂ、Ｘ２側に長穴６２ｃを有する。長穴６２ｂ、６２ｃは、孔６２ａに関して対称な位置に形成してあり、共にＸ１−Ｘ２方向に長い形状である。
【００３３】
この逆Ｔ字形プレート６２は、孔６２ａをピン６１ｃに嵌合されて回動可能に支持されている。また、長穴６２ｂ、６２ｃが夫々ピン６３ａ，６４ａと嵌合している。
【００３４】
逆Ｔ字形プレート６２は、このＹ１端とプレート６１上のピン６１ｆとの間のばね６５によって図３に示す位置に保持される。
【００３５】
よって、ロック解除機構６０は、Ｘ１側アーム６３及びＸ２側アーム６４がプレート６１よりＸ１及びＸ２側に延びており、ローラ６３ｂ，６４ｂがプレート６１のＹ２側の縁の位置Ｐ１よりＹ２側の位置のＸ１−Ｘ２線Ｌ上に距離Ｑ離れて位置して配置されている。
【００３６】
このロック解除機構６０は、以下のように動作する。
【００３７】
図５は矢印Ｆで示すようにローラ６３ｂとローラ６４ｂとが同時にＹ１方向に押された場合を示す。
【００３８】
この場合には、Ｘ１側アーム６３はＣＣ方向に、Ｘ２側アーム６４はＣ方向に、同時に回動しようとし、Ｘ１側アーム６３は逆Ｔ字形プレート６２をＣ方向に、Ｘ２側アーム６４は逆Ｔ字形プレート６２をＣＣ方向に回動させようする。しかし、逆Ｔ字形プレート６２は同じ強さのＣ方向の回動力とＣＣ方向の回動力を同時に作用されて、どちら方向にも回動せず、Ｘ１側アーム６３及びＸ２側アーム６４は共に回動されない。
【００３９】
よって、矢印Ｆで示す二つの力は、ピン６１ｄ、６１ｅを介してプレート６１に伝わり、プレート６１はＹ１方向に位置Ｐ２まで移動される。
【００４０】
なお、タイミングが少しずれてもローラ６３ｂとローラ６４ｂとの両方が共にＹ１方向に押された場合にも、矢印Ｆで示す二つの力は、ピン６１ｄ、６１ｅを介してプレート６１に伝わり、プレート６１はＹ１方向に位置Ｐ２まで移動される。
【００４１】
図６は矢印Ｆで示すようにＸ１側のローラ６３ｂだけがＹ１方向に押された場合を示す。
【００４２】
この場合には、Ｘ１側アーム６３が、逆Ｔ字形プレート６２をＣ方向に回動させつつ、ＣＣ方向に回動され、矢印Ｆで示す力はプレート６１には伝わらず、プレート６１はＹ１方向に移動されず、位置Ｐ１に留まる。
【００４３】
図７は矢印Ｆで示すようにＸ２側のローラ６４ｂだけがＹ１方向に押された場合を示す。
【００４４】
この場合には、Ｘ２側アーム６４が、逆Ｔ字形プレート６２をＣＣ方向に回動させつつ、Ｃ方向に回動され、矢印Ｆで示す力はプレート６１には伝わらず、プレート６１はＹ１方向に移動されず、位置Ｐ１に留まる。
【００４５】
ここで、上記の長穴６２ｂ、６２ｃとピン６３ａ，６４ａと嵌合遊びの大きさは、後述する図９及び図１０に示すように、テープカセット１０がテープカセットホルダ３０の内部で最大に斜めとなった姿勢でテープカセットホルダ３０に押し込まれた場合であっても、図６及び図７中に拡大して示すように、長穴６２ｂ、６２ｃとピン６３ａ，６４ａとの間に余裕６９が残っているように定めてある。
［スライドカムロック機構８０］
スライドカムロック機構８０は、図３及び図４に示すように、ロックレバー８１と、中間レバー８２と、引っ張りばね８３とを有する。
【００４６】
ロックレバー８１は、ロック爪部８１ａ及び突起部８１ｂを有し、スライドカム４１上のピン８４に回動可能に支持されており、引っ張りばね８３によってＣＣ方向に付勢されている。
【００４７】
中間レバー８２は、一端にフォーク部８２ａ、他端に長孔部８２ｂを有し、スライドカム４１上のピン８５に回動可能に支持されて、ロックレバー８１と前記のプレート６１との間に延在して配置してある。フォーク部８２ａが上記の突起部８１ｂを係止しており、長孔部８２ｂが、プレート６１上のピン６１ｇと嵌合している。
【００４８】
中間レバー８２は、ロック解除機構６０の動作をロックレバー８１に伝達する役割、及び引っ張りばね８３のばね力をプレート６１に伝達する役割を有する。
【００４９】
図３及び図４に示すようにロックレバー８１がＣＣ方向に回動された状態で、ロック爪部８１ａがシャーシ２１の切欠部２１ｇに係合しており、スライドカムロック機構８０はロック状態にある。
【００５０】
上記の引っ張りばね８３のばね力は、中間レバー８２を介してプレート６１に伝達されており、プレート６１は位置Ｐ１に位置している。
【００５１】
図５に示すように、ロック解除機構６０のプレート６１がＹ１方向にスライドされると、中間レバー８２を介してロックレバー８１がＣ方向に回動され、ロック爪部８１ａがシャーシ２１の切欠部２１ｇから抜け出し、ロックが解除される。
【００５２】
図３及び図４に示すようにスライドカム４１のＸ１側にはスライドカムロック機構が設けられていないため、テープカセット記録再生装置２０はその分、省スペース化が図られており、また、別の機能を付加するために、このＸ１側の部分を有効に利用することが出来る。
【００５３】
次に、テープカセット１０をテープカセットホルダ３０内に押し込んだときのロック解除機構６０の動作及びスライドカムロック機構８０の動作について、テープカセットホルダ３０内のテープカセット１０の姿勢を幾つかに分けて説明する。
［テープカセット１０が正常に押し込まれた場合］
図８（Ａ）に示すように、テープカセット１０がテープカセットホルダ３０内に正常な姿勢で押し込まれた場合には、テープカセット１０の前面１０ｂが左右のローラ６３ｂ、６４ｂに同時に当って同時に押して、ロック解除機構６０は図５に示す状態と同じ状態となり、テープカセット１０を押し込む力がプレート６１に伝わって、図８（Ｂ）に示すように、プレート６１がＹ１方向にＰ２に移動される。
【００５４】
これによって、図５に示すように、スライドカムロック機構８０によるロックが解除され、続いて、プレート６１の移動がピン７１ａ，７１ｂを介してスライドカム４１に伝わりスライドカム４１が少しＹ１方向に移動され、これによって、スイッチがオンとなり、モータ２４が駆動され、図８（Ｃ）に示すように、モータ２４によってスライドカム４１がＹ１方向に移動されてテープカセット装着動作が行なわれる。
【００５５】
なお、タイミングが少しずれても左右のローラ６３ｂ、６４ｂが共にＹ１方向に押された場合にも、ロック解除機構６０及びスライドカムロック機構８０は上記と同様に動作し、テープカセット装着動作が行なわれる。
［テープカセット１０のうちＸ１側がＸ２側に比較して深く押し込まれて、テープカセット１０の姿勢が斜めである場合］
図９（Ａ）に示すように、テープカセット１０の前面１０ｂのうちＸ１側の部分１０ｂＸ１がローラ６３ｂを当ってこれを矢印Ｆで示すように押す。即ち、ローラ６３ｂだけが押される。これによって、ロック解除機構６０は図６に示す状態と同じ状態となり、図９（Ｂ）に示すように、Ｘ１側アーム６３が、逆Ｔ字形プレート６２をＣ方向に回動させつつ、ＣＣ方向に回動され、矢印Ｆで示す力はプレート６１には伝わず、プレート６１はＹ１方向に移動されず、位置Ｐ１に留まる。
【００５６】
テープカセット１０を更に押し込んでも、図９（Ｃ）に示すように、Ｘ１側アーム６３及び逆Ｔ字形プレート６２が回動されるだけで、矢印Ｆで示す力はプレート６１には伝わず、プレート６１はＹ１方向に移動されず、位置Ｐ１に留まったままである。
【００５７】
よって、スライドカムロック機構８０によるロックはロック状態に保持され、スライドカム４１は移動されず、スイッチはオフのままであり、モータ２４は駆動されず、テープカセット装着動作は開始されない。
［テープカセット１０のうちＸ２側がＸ１側に比較して深く押し込まれて、テープカセット１０の姿勢が斜めである場合］
図１０（Ａ）に示すように、テープカセット１０の前面１０ｂのうちＸ２側の部分１０ｂＸ２がローラ６４ｂを当ってこれを矢印Ｆで示すように押す。即ち、ローラ６４ｂだけが押される。これによって、ロック解除機構６０は図７に示す状態と同じ状態となり、図１０（Ｂ）に示すように、Ｘ２側アーム６４が、逆Ｔ字形プレート６２をＣＣ方向に回動させつつ、ＣＣ方向に回動され、矢印Ｆで示す力はプレート６１には伝わず、プレート６１はＹ１方向に移動されず、位置Ｐ１に留まる。
【００５８】
テープカセット１０を更に押し込んでも、図１０（Ｃ）に示すように、Ｘ１側アーム６３及び逆Ｔ字形プレート６２が回動されるだけで、矢印Ｆで示す力はプレート６１には伝わず、プレート６１はＹ１方向に移動されず、位置Ｐ１に留まったままである。
【００５９】
よって、スライドカムロック機構８０によるロックはロック状態に保持され、スライドカム４１は移動されず、スイッチはオフのままであり、モータ２４は駆動されず、テープカセット装着動作は開始されない。
【００６０】
次に、テープカセットイジェクト動作時におけるロック解除機構６０及びロック機構８０の動作について説明する。
【００６１】
モータ２４が駆動されて逆転し、スライドカム４１がＹ２方向に移動されると、テープカセットホルダ３０が最初にＺ１方向に、続いてＹ２方向に移動されて、テープカセット１０がイジェクトされる。
【００６２】
プレート６１はスライドカム４１と一体的に移動される。ロック解除機構６０は図８（Ｃ）、（Ｂ）、（Ａ）に示す順に動作する。
【００６３】
操作者がテープカセット１０を元の位置に戻ったテープカセットホルダ３０より取り出すと、テープカセット１０の前面１０ｂが左右のローラ６３ｂ、６４ｂから離れ、ローラ６３ｂ、６４ｂがフリーとなり、図５中の引っ張りばね８３のばね力によって、ロックレバー８１がＣＣ方向に回動されると共に、中間レバー８２を介してプレート６１がＹ２方向に移動される。
【００６４】
ロックレバー８１がＣＣ方向に回動されると、ロック爪部８１ａがシャーシ２１の切欠部２１ｇに係合され、ロック機構８０はシャーシ２１に対してロックされた状態となる。
【００６５】
次に、ローラ６４ａ及びローラ６４ｂのテープカセット姿勢回復作用について説明する。
【００６６】
テープカセット１０が斜めの姿勢でテープカセットホルダ３０内に押し込まれ、図１１に示すように、テープカセット１０の前面１０ｂのうちＸ１側の部分１０ｂＸ１がローラ６３ｂに当った場合には、テープカセット１０の前面１０ｂが斜めであることによって、ローラ６３ｂがＣＣ方向に回動されることもある。これによって、テープカセット１０の前面１０ｂがＸ１方向に移動され、テープカセット１０の姿勢が二点鎖線で示すように正常な方向に回復される。この場合には、そのままテープカセット１０を押し込むことによって、図８（Ｂ）に示すと似た状態になって、モータ２４によるテープカセット装着動作が開始される。
【００６７】
テープカセット１０の姿勢が上記とは逆であり、図１１に示すように、前面１０ｂのうちＸ２側の部分１０ｂＸ２がローラ６４ｂに当った場合には、テープカセット１０の前面１０ｂが斜めであることによって、ローラ６４ｂがＣ方向に回動されることもある。これによって、テープカセット１０の前面１０ｂがＸ２方向に移動され、テープカセット１０の姿勢が二点鎖線で示すように正常な方向に回復される。この場合には、そのままテープカセット１０を押し込むことによって、図８（Ｂ）に示すと似た状態になって、モータ２４によるテープカセット装着動作が開始される。
【実施例２】
【００６８】
次の順序で説明する。
【００６９】
１．テープカセット記録再生装置１２０の概略、
２．テープカセットホルダ移動機構１４０
３．テープカセットロングイジェクト動作の概略
４．テープカセット押し出し機構１６０の構成
５．テープカセット押し出し機構１６０の動作
６．テープカセット押し込み時及びテープカセットイジェクト時のロック解除機構６０の動作
［１．テープカセット記録再生装置２０の概略］、
図１３（Ａ），（Ｂ）は本発明の実施例１になるテープカセット記録再生装置１２０を示し、図１４はテープカセット記録再生装置１２０を分解して示す。Ｘ１−Ｘ２は幅方向、Ｙ１−Ｙ２は奥行き方向、Ｚ１−Ｚ２は高さ方向である。図１３（Ａ），（Ｂ）はテープカセット記録再生装置１２０が停止しているときの状態、即ち、図１５（Ａ３），（Ｂ３）に示す状態にあるときの状態を示す。
【００７０】
テープカセット記録再生装置１２０は、テープカセット押し出し板１６７のＹ２端に、前記のロック解除機構６０が設けてある構成である。
【００７１】
テープカセット記録再生装置１２０は、略箱形状のシャーシ１２１内に回転ドラム１２２、テープローディング機構１２３、モータ１２４、円板カム１２５等が組み込んであり、また、シャーシ１２１にテープカセットホルダ１３０及びスライドカム１４１等が組み付けてある構成である。また、テープカセット記録再生装置１２０は、テープカセットロングイジェクト機構１５０を有する。テープカセットロングイジェクト機構１５０は、テープカセットをテープカセット記録再生装置１２０から従来よりも長い寸法突き出させるための機構であり、テープカセットホルダ移動機構１４０とテープカセット押し出し機構１６０とよりなる構成である。
【００７２】
テープカセットホルダ１３０は、両側のピン１３１，１３２をシャーシ１２１のＬ字溝１２１ａ，１２１ｂに嵌合させて支持されており、Ｌ字溝１２１ａ，１２１ｂに沿ってＬ字状に移動可能である。
【００７３】
スライドカム１４１は、上方から見て略Ｕ字形状であり、両側のピン１４２，１４３をシャーシ１２１の溝１２１ｃ，１２１ｄに嵌合させて支持されている。スライドカム１４１の両側の斜め溝１４４，１４５が夫々ピン１３１，１３２と嵌合している。スライドカム１４１は、Ｙ１−Ｙ２方向に溝１２１ｃ，１２１ｄの範囲内で移動可能である。スライドカム１４１の下面に、テープカセット押し出し機構１６０が設けてある。
【００７４】
テープカセット１０がテープカセットホルダ１３０に支持されて装着された状態において、テープローディング機構２３によってテープカセット１０から磁気テープ１１が引き出され回転ドラム１２２に巻き付いた所定のテープパスにローディングされ、続いて磁気テープ１１がこの所定のテープパスに沿って走行され、回転ドラム１２２内の回転ヘッドが磁気テープ１１をヘリカルスキャンして情報が磁気テープ１１に記録され（書き込まれ）、及び磁気テープ１１に記録された情報が再生される（読み取られる）。テープカセット１０の磁気テープ１１に対する記録再生が終了すると、テープローディング機構１２３が逆方向に動作して、回転ドラム２２に巻き付いていた磁気テープ１１がテープカセット１０内に戻され、続いて、テープカセット１０がロングイジェクトされる。
［２．テープカセットホルダ移動機構１４０］
図１３及び図１４に示すようにテープカセットホルダ移動機構１４０は、モータ１２４と、円板カム１２５と、回動アーム１５１と、スライドカム１４１とよりなる。テープカセットホルダ１３０のピン１３３がスライドカム１４１のスリット１４６に嵌合して、スライドカム１４１がテープカセットホルダ１３０と連結してある。スライドカム１４１は、装着位置Ｕ０とイジェクト位置Ｕ１との間でスライド可能である。テープカセットホルダ３０は装着位置Ｓ０とイジェクト位置Ｓ１との間で移動可能である（図１５参照）。
【００７５】
イジェクト指令によってモータ２４が駆動されると、円板カム２５が回動され、円板カム２５の渦巻きカム溝によって回動アーム５１がＣ方向に回動され、スライドカム４１がＹ２方向に図１５（Ａ２）に示すイジェクト位置Ｕ１まで移動される。このスライドカム１４１の移動の過程で、斜め溝１４４，１４５によってピン１３１，１３２がＬ字溝１２１ａ，１２１ｂに沿って移動され、テープカセットホルダ１３０は、最初にＺ１方向に移
動され、続いてＹ２方向に移動されて、図１５（Ａ２）、（Ｂ２）に示すイジェクト位置Ｓ１に移動される。
【００７６】
図１５（Ａ２）、（Ｂ２）に示す状態において、モータ１２４が逆転駆動されると、回動アーム１５１がＣＣ方向に回動され、スライドカム１４１がＹ１方向に位置Ｕ０まで移動される。テープカセットホルダ１３０は、スライドカム１４１によって引かれてＹ１方向に移動されると共にＺ２方向に移動され、図１５（Ａ１）、（Ｂ１）に示す装着位置Ｓ０に移動される。
［３．テープカセットロングイジェクト動作の概略］
テープカセットロングイジェクト動作は最初にテープカセットホルダ移動機構１４０が動作し、続いてテープカセット押し出し機構１６０が動作することによって行われる。
【００７７】
図１５はテープカセットロングイジェクト動作の概略を示す。
【００７８】
図１５（Ａ１）、（Ｂ１）はテープカセット１０が装着されている状態を示す。スライドカム１４１はＵ０に位置し、テープカセット１０はＰ０に位置し、テープカセットホルダ１３０は装着位置Ｓ０に位置している。テープカセット記録再生装置１２０は記録、再生（書き込み、読み取り）モードにある。イジェクト指令によってモータ１２４が駆動されテープカセットホルダ移動機構１４０が動作し、テープカセットホルダ１３０は、図１５（Ｂ２）に示すイジェクト位置Ｓ１に移動される。テープカセット１０は、テープカセットホルダ１３０と共にＰ１に移動され、後ろ側部分が挿入口１２６から寸法Ａ（６ｍｍ）突き出た状態となる。円板カム１２５の渦巻きカム溝によって、回動アーム５１は後述するばね部材１６８を撓ませつつ更にＣ方向にオーバー回動される。回動アーム５１のオーバー回動によってテープカセット押し出し機構１６０が動作し、図１５（Ａ３）、（Ｂ３）に示すように、テープカセット１０がテープカセットホルダ１３０からＹ２方向に押し出され、テープカセット１０は、Ｐ２に移動され、後ろ側部分が挿入口１２６から寸法Ｂ（１４ｍｍ）突き出た状態となり、テープカセットロングイジェクトが終了する。テープカセット１０がテープカセットホルダ１３０から押し出される動作は環境の温度に影響されずに予定の速度で安定に行われる。なお、スライドカム１４１は位置Ｕ１に、テープカセットホルダ１３０は位置Ｓ１に夫々留まっている。また、その後にモータ１２４が逆転され、回動アーム１５１はＣＣ方向に上記のオーバー回動の分回動されて戻される。
［４．テープカセット押し出し機構１６０の構成］
テープカセット押し出し機構１６０はスライドカム１４１のＺ２側の面に設けてあるので、以後は、テープカセット押し出し機構１６０はスライドカム１４１を表裏反転した向きで示す。部品の回転の方向は、回動アーム１５１を除いて、Ｚ２側から見たときの方向で表す。
【００７９】
図１６及び図１７は、図１５（Ａ１）、（Ｂ１）に示すテープカセット１０が装着されているときの状態を示す。図１７はテープカセット押し出し機構１６０をスライドカム１４１の下面より見上げた状態で示す。図１８はテープカセット押し出し機構１６０を分解して示す。図１９はワンウェイカム１７０を示す。図２０はスライドカムロック機構１８０を示す。図２１（Ａ）はテープカセット押し出し機構１６０のスケルトン図である。
【００８０】
テープカセット押し出し機構１６０は、スライドプレート１６１と、回動レバー１６２と、リンク１６３と、回動レバー１６４と、プッシュレバー１６５と、補助レバー１６６と、テープカセット押し出し板１６７と、ワンウェイカム１７０と、捩りコイルばね１６８と、捩りコイルばね１６９とを有する。
【００８１】
スライドプレート１６１はスリット１６１ａ，１６１ｂでもってスライドカム１４１にＹ２方向にスライド可能に取り付けてある。回動アーム１５１の先端のピン１５１ａがスライドプレート１６１のＸ方向溝１６１Ｘに嵌合している。回動アーム１５１は、シャーシ１２１上の固定軸１２７に支持されており、ピン１５１ｂが円板カム１２５の渦巻きカム溝１２５ａに嵌合している。スライドカム１４１とスライドプレート１６１との間には捩りコイルばね１６８が設けてあり、捩りコイルばね１６８によってスライドプレート１６１はＹ１方向に強く付勢されて位置決めされており、スライドカム１４１はスライドプレート１６１と一体的にＹ２方向に移動する。
【００８２】
回動レバー１６２は、スライドカム１４１に固定してある軸１６２ａに支持してあり、腕の長さＬ１、Ｌ２は、Ｌ１＜Ｌ２の関係にある。回動レバー１６２のＸ１方向端はスライドプレート１６１と連結してある。
【００８３】
回動レバー１６４は、スライドカム１４１に固定してある軸１６４ａに支持してあり、腕の長さＬ３、Ｌ４は、Ｌ３＜Ｌ４の関係にある。
【００８４】
回動レバー１６２のＸ２方向と回動レバー１６４のＸ１方向の端とがリンク１６３で連結してある。
【００８５】
プッシュレバー１６５は、一端に係止部としてのフック部１６５ａを有する。補助レバー１６６は一端にガイドピン１６６ａを有する。プッシュレバー１６５と補助レバー１６６とは、捩りコイルばね１６９をその間に配置して、回動レバー１６４のＸ２側の端のピン１６４ｂに支持されている。捩りコイルばね１６９は、プッシュレバー１６５と補助レバー１６６とをこれら一直線となる方向に付勢する。プッシュレバー１６５と補助レバー１６６とは、補助レバー１６６の突起がプッシュレバー１６５の端に当ってＸ１側に凸となるように曲がった状態にある。また、プッシュレバー１６５は捩りコイルばね１６９を撓ませて補助レバー１６６に対して更に時計方向に回動することが可能である。
【００８６】
プッシュレバー１６５と補助レバー１６６と捩りコイルばね１６９とが、係止手段としてのプッシュレバー組立体６５Ａを構成する。
【００８７】
テープカセット押し出し板１６７は、スリット１６７ａ，１６７ｂでもってスライドカム１４１にＹ２方向にスライド可能に取り付けてある。Ｙ１方向の端に曲げ部１６７ｃを有し、Ｙ２方向の端にロック解除機構６０を有する。ロック解除機構６０はイジェクト位置のテープカセットホルダ３０に対向する。上記フック部６５ａが曲げ部６７ｃを係止する。
【００８８】
テープカセット押し部６７ｄはスライドカム４１に対して、三つの位置、即ち、Ｙ１側から位置Ｑ０、Ｑ１，Ｑ２をとる。Ｑ０は図１５（Ａ１）、（Ｂ１）に示すときの位置であり、Ｑ１は図１５（Ａ２）、（Ｂ２）に示すときの位置であり、Ｑ２は図１５（Ａ３）、（Ｂ３）に示すときの位置である。
【００８９】
Ｑ０からＱ１への移動は、後述するスライドカムロック機構１８０のロック動作に伴ってなされる。Ｑ１からＱ２への移動は、回動アーム１５１のオーバー回動によってなされ、このときにテープカセットロングイジェクトが行われる。Ｑ２からＱ１への移動は、回動アーム１５１の戻り回動によってなされ、Ｑ１からＱ０への移動は、操作者が手動でテープカセット１０をイジェクト位置にあるテープカセットホルダ３０内に奥まで挿入する操作によって行われる。
【００９０】
ワンウェイカム１７０はガイドピン１６６ａを案内するカム溝１７１を有する。図１９に併せて示すように、カム溝１７１は、初期位置カム溝部１７２と、第１の辺のカム溝部１７３と、第２の辺のカム溝部１７４と、第３の辺のカム溝部１７５とを有する。第１、第２及び第３の辺のカム溝部１７３、１７４、１７５は略三角形をなし、第１及び第２の辺のカム溝部１７３、１７４はＸ２方向に尖った山形状をなし、第３の辺のカム溝部１７５はＹ方向に延在しており、初期位置カム溝部１７２は第３の辺のカム溝部１７５のＹ１方向端に位置している。初期位置カム溝部１７２と第３の辺のカム溝部１７５との間には、段差部１７６が形成してあり、初期位置カム溝部１７２に位置するガイドピン１６６ａは、段差部１７６によって第３の辺のカム溝部１７５に入ることを制限され、必ず第１の辺のカム溝部１７３内に進むようになっている。
【００９１】
また、テープカセット押し出し板１６７に関連して図２０に示すスライドカムロック機構１８０が設けてある。スライドカムロック機構１８０は、スライドカム１４１をシャーシ１２１にロックしてスライドを制限するためのものであり、単一であり、中間レバー１８１とロックレバー１８２とを有する。中間レバー１８１は、スライドカム１４１上のピン１８１ａに回動可能に支持してあり、Ｘ１方向端のスリット１８１ｂがテープカセット押し出し板１６７上のピン１６７ｅに嵌合してある。ロックレバー１８２はスライドカム１４１上のピン１８２ａに回動可能に支持してあり、引っ張りコイルばね１８３によって時計方向に付勢されており、Ｙ１側の端にロック爪部１８２ｂを有する。ロックレバー１８２と中間レバー１８１とは一方が回動すると他方が連動して回動されるように関連付けられている。このスライドカムロック機構１８０のロック動作に伴って、テープカセット押し出し板１６７がＹ２方向にＱ０からＱ１へ移動される。
［５．テープカセット押し出し機構１６０の動作］
（１）テープカセット記録再生装置１２０が図１５（Ａ１）、（Ｂ１）の状態から図１５（Ａ２）、（Ｂ２）に変化したときの動作
テープカセット記録再生装置２０が図１５（Ａ１）、（Ｂ１）の状態から図１５（Ａ２）、（Ｂ２）に変化すると、テープカセット押し出し機構１６０は図１６及び図１７に示す状態（テープカセット押し出し板１６７のテープカセット押し部１６７ｄはＱ０に位置している）から図２２（Ａ），（Ｂ）に示す状態となる。
【００９２】
イジェクト指令によってモータ１２４が駆動され円板カム１２５が回動され、円板カム１２５の渦巻きカム溝によって回動アーム１５１がＣ方向に回動されてスライドカム１４１がスライドプレート１６１と一体的にＹ２方向に図２２（Ａ）に示す位置Ｕ１まで移動にされ、カセットホルダ１３０はイジェクト位置Ｓ１に移動され、テープカセット１０はＰ１に移動されてその後ろ側部分が挿入口１２６から寸法Ａ（６ｍｍ）突き出た状態となる。
【００９３】
スライドプレート１６１はスライドカム４１に対する位置を変えずに移動し、テープカセット押し出し機構１６０は図４及び図５に示す状態を維持して移動する。スライドカム１４１が位置Ｕ１に到ると、図２２（Ａ），（Ｂ）に示すように、中間レバー１８１がシャーシ１２１の凹部に対向し、ばね１８３によってロックレバー８２が時計方向に中間レバー１８１が反時計方向に回動され、ロック爪部１８２ｂがシャーシ１２１の一部に係合して、スライドプレート１６１が位置Ｕ１にロックされる。これと同時に、中間レバー１８１の上記反時計方向によってテープカセット押し出し板１６７がＹ２方向にスライドされてロック解除機構６０はＱ１に移動する。
（２）テープカセット記録再生装置１２０が図１５（Ａ２）、（Ｂ２）の状態から図１５（Ａ３）、（Ｂ３）に変化する過程での動作
図２３（Ａ），（Ｂ）は回動アーム１５１がオーバー回動したときのテープカセット押し出し機構１６０の状態を示す。図２１（Ｂ）は図２３（Ａ），（Ｂ）に示す状態のテープカセット押し出し機構１６０をスケルトンで示す。
【００９４】
モータ１２４によって円板カム１２５は更に最終位置まで回動され、その後逆転して少し戻されて停止する。回動アーム１５１は図２２（Ａ）に示す状態から捩りコイルばね１６８を撓ませつつオーバー回動して更に反時計方向に回動され、その後逆転して時計方向に少し回動されて戻される。
【００９５】
回動アーム１５１がＣ方向にオーバー回動を開始すると、図２１（Ｂ）に併せて示すように、スライドプレート１６１がＹ２方向に寸法Ｖ１スライドされ、回動レバー１６２が反時計方向に回動され、リンク１６３を介して回動レバー１６４が時計方向に回動され、プッシュレバー組立体１６５Ａのフック部１６５ａが曲げ部１６７ｃを係止し且つＹ２方向に押す。これにより、テープカセット押し出し板１６７がＹ２方向に移動され、テープカセット押し出し機構１６０は図２３（Ａ），（Ｂ）に示す状態となる。ロック解除機構６０がテープカセット１０をテープカセットホルダ３０からＹ２方向に押し出し、テープカセット１０はその後ろ側部分が挿入口１２６から寸法Ｂ（１４ｍｍ）突き出た状態となり、テープカセットロングイジェクトが終了する。
【００９６】
上記のように、テープカセットロングイジェクトは回動アーム１５１がＣ方向にオーバー回動する速度に対応する動きでもって、温度により影響されることなく、ましてや飛び出して落ちてしまうことは起こさずに、安定に行われる。
【００９７】
その後にモータ１２４が逆転され、回動アーム１５１はＣＣ方向に上記のオーバー回動の分回動されて戻される。なお、スライドカム１４１は位置Ｕ１に、テープカセットホルダ１３０は位置Ｓ１に夫々留まっている。
【００９８】
ここで、回動レバー１６２及び回動レバー１６４は、腕の長さＬ１、Ｌ２、Ｌ３、Ｌ４がＬ１＜Ｌ２、Ｌ３＜Ｌ４の関係にあるため、スライドプレート１６１のＹ２方向の移動寸法Ｖ１は増幅されて、プッシュレバー組立体１６５ＡのＹ２方向の移動寸法Ｖ２はスライドプレート１６１のＹ２方向の移動寸法Ｖ１よりも長くなり、Ｖ１＜Ｖ２となる。よって、回動アーム１５１のオーバー回動の回動角が小さくても、テープカセット１０を挿入口１２６から寸法Ｂ（１４ｍｍ）突き出すことが出来る。
【００９９】
ここで、プッシュレバー組立体１６５Ａの動作について図２４（Ａ）乃至（Ｄ）を参照して説明する。
【０１００】
回動アーム１５１がオーバー回動を開始する前は、プッシュレバー組立体１６５Ａは図２４（Ａ）に示す状態にある。ガイドピン１６６ａが初期位置カム溝部１７２に位置しており、プッシュレバー１６５はＹ２とＸ２との中間の方向に向いており、フック部１６５ａは曲げ部１６７ｃよりもＸ２に位置している。
【０１０１】
回動アーム１５１がオーバー回動を開始し、回動レバー１６４が時計方向に回動されると、ガイドピン１６６ａが段差部１７６に案内されて第１の辺のカム溝部１７３内に入り、第１の辺のカム溝部１７３に案内され、プッシュレバー組立体１６５Ａは図２４（Ｂ）及び同図（Ｃ）に示すように反時計方向に回動されフック部１６５ａが曲げ部１６７ｃと対向すると共にＹ２方向に移動され、フック部１６５ａが曲げ部１６７ｃを係止し且つＹ２方向に押す。これにより、テープカセット押し出し板１６７がＹ２方向に移動される。ガイドピン１６６ａは続いて第２の辺のカム溝部１７４に沿って案内され、プッシュレバー組立体１６５Ａは図２４（Ｄ）に示すように時計方向に回動される。
【０１０２】
回動アーム１５１がＣＣ方向に上記のオーバー回動の分回動されるときに、ガイドピン１６６ａは続いて第３の辺のカム溝部１７５に沿って案内され、初期位置カム溝部１７２に到り、図２４（Ａ）に示す元の状態となる。フック部１６５ａは曲げ部１６７ｃよりもＸ２に位置しており、テープカセット押し出し板１６７のＹ１方向スライドを妨害しない状態にある。
（３）テープカセット１０を装着するべくテープカセット１０をテープカセットホルダ１３０内に挿入するときの動作
図２３（Ａ）に示す状態のテープカセット記録再生装置１２０において、テープカセット押し出し板１６７はＹ１方向スライドが可能である状態にある。よって、テープカセット１０をテープカセットホルダ１３０内に挿入すると、テープカセット１０は、二点鎖線で示すように、最後の段階でロック解除機構６０をＹ１方向に押しつつテープカセットホルダ３０内に最終位置まで挿入される。
【０１０３】
テープカセット１０がテープカセットホルダ１３０内に最終位置まで挿入されると、センサがこれを検知し、モータ１２４が始動して、回動アーム１５１がＣＣ方向に回動され、スライドプレート１６１がＹ１方向にスライドされ、テープカセットホルダ１３０が移動されて、テープカセット１０が装着される。テープカセット記録再生装置１２０は、図１５（Ａ），図１６に示す状態となる。
（４）テープカセットロングイジェクトの途中で図２５に示すようにイジェクトされるテープカセット１０が障害物３００に当ってそれ以上のイジェクトが出来なくなった場合の動作
イジェクト途中のテープカセット１０が障害物３００に当ると、テープカセット押し出し板１６７をＹ２方向にそれ以上スライドさせることが出来なくなり、プッシュレバー組立体１６５Ａのプッシュレバー１６５が図２６（Ａ），（Ｂ）、（Ｃ）に示すように捩りコイルばね１６９を撓ませて補助レバー１６６に対して時計方向に回動され、プッシュレバー組立体１６５Ａが更に屈曲した状態とされて、フック部１６５ａが曲げ部１６７ｃをＹ２方向に乗り越える。
【０１０４】
ガイドピン１６６ａは続いて第２の辺のカム溝部１７４に沿って案内され、プッシュレバー組立体１６５Ａは図２４（Ｄ）に示すように時計方向に回動される。また、ガイドピン１６６ａは続いて第３の辺のカム溝部１７５に沿って案内され、初期位置カム溝部１７２に到り、プッシュレバー組立体１６５Ａは図２４（Ａ）に示す元の状態となる。
【０１０５】
よって、テープカセット押し出し機構１６０に過剰な負荷が作用することが避けられ、損傷することは起きない。
［テープカセット押し込み時及びテープカセットイジェクト時のロック解除機構６０の動作］
ロック解除機構６０は、操作者がテープカセット１０をテープカセットホルダ３０内に押し込んだときには、前記の実施例１と同様に動作する。
【０１０６】
即ち、テープカセット１０をテープカセットホルダ１３０内に正常な姿勢で押し込まれた場合には、テープカセット１０の押し込み力をテープカセット押し出し板１６７に伝えて、テープカセット押し出し板１６７がＹ１方向に移動されるようにし、テープカセット１０をテープカセットホルダ１３０内に斜めの姿勢で押し込まれた場合には、テープカセット１０の押し込み力をテープカセット押し出し板６７に伝えないようにして、テープカセット押し出し板１６７がＹ１方向に移動されないようにする。この動作は、図５、図６、図７に示すと同じであり、説明は省略する。
【０１０７】
テープカセットロングイジェクト動作時には、ロック解除機構６０は以下の動作を行なう。
【０１０８】
図２７（Ａ）はテープカセット１０が装着されている状態を示す。モータ２４が駆動されて逆転し、スライドカム１４１がＹ２方向に移動されると、テープカセットホルダ１３０が最初にＺ１方向に、続いてＹ２方向に移動されて、元のテープカセットイジェクト位置に戻される。
【０１０９】
図２７（Ｂ）に示すように、ロック解除機構６０は元の位置に戻されたテープカセットホルダ１３０内のテープカセット１０の前面１０ｂに当接している。
【０１１０】
続いてテープカセット押し出し板１６７がＹ２方向に余分に移動されるときに、左右のローラ６３ｂ、６４ｂがテープカセット１０の前面１０ｂのＸ１側の部分１０１とＸ２側の部分１０ｂＸ２とに同時に当って同時にＹ２方向に押す。このとき、Ｘ１側アーム６３及びＸ２側アーム６４の回動が拘束され、テープカセット押し出し板１６７のＹ２方向への移動力が、Ｘ１側アーム６３、Ｘ２側アーム６４を介してテープカセット１０の前面１０ｂのＸ１側の部分１０ｂＸ１とＸ２側の部分１０ｂＸ２とに同時に作用される。
【０１１１】
即ち、テープカセットイジェクト動作時、ロック解除機構６０はその左右のローラ６３ｂ、６４ｂでテープカセット１０の前面１０ｂのＸ１側の部分１０１とＸ２側の部分１０ｂＸ２とを同時にＹ２方向に押すように動作する。
【０１１２】
テープカセットイジェクト動作の最終段階において、図２７（Ｃ）に示すように、ロック解除機構６０はテープカセット１０を元のテープカセットイジェクト位置に戻ったテープカセットホルダ１３０よりＹ２方向に少し押し出す。
【０１１３】
なお、特許請求の範囲に記載の「検知部」は、ローラ６３ｂ、６４ｂが対応する。また、本発明は、ロック解除機構が、三つのローラが並んでいる構成であり、三つのローラが押し込まれたテープカセット１０の前面１０ｂによって同時に押された場合に動作する構成であってもよい。特許請求の範囲に記載の「制御レバー」は、逆Ｔ字形プレート６２が対応する。特許請求の範囲に記載の「テープカセットホルダ移動機構」は第１実施例ではモータ２４と、円板カム２５と、回動アーム５１と、スライドカム４１とよりなる。
【図面の簡単な説明】
【０１１４】
【図１】本発明の実施例１になるテープカセット記録再生装置を示す図である。
【図２】図１のテープカセット記録再生装置の分解斜視図である。
【図３】ロック解除機構及びスライドカムロック機構を取り出して拡大して示す平面図である。
【図４】ロック解除機構及びスライドカムロック機構を分解して示す斜視図である。
【図５】両側のローラが同時に押された場合のロック解除機構及びスライドカムロック機構の状態を示す図である。
【図６】Ｘ１側のローラが押された場合のロック解除機構及びスライドカムロック機構の状態を示す図である。
【図７】Ｘ２側のローラが押された場合のロック解除機構及びスライドカムロック機構の状態を示す図である。
【図８】テープカセットがテープカセットホルダ内に正常に押し込まれた場合のロック解除機構の動作を示す図である。
【図９】テープカセットがテープカセットホルダ内に斜めに押し込まれた場合のロック解除機構の動作を示す図である。
【図１０】テープカセットがテープカセットホルダ内に図９とは逆向きの斜めに押し込まれた場合のロック解除機構の動作を示す図である。
【図１１】テープカセットがテープカセットホルダ内に斜めに押し込まれた場合のテープカセットの姿勢回復を説明するための図である。
【図１２】テープカセットがテープカセットホルダ内に図１１とは逆向きの斜めに押し込まれた場合のテープカセットの姿勢回復を説明するための図である。
【図１３】本発明の実施例２になるテープカセット記録再生装置を示す図である。
【図１４】図１のテープカセット記録再生装置の分解斜視図である。
【図１５】テープカセットロングイジェクト動作の概略的に示す図である。
【図１６】テープカセットが装着されているときのテープカセット記録再生装置を表裏反転した状態で示す図である。
【図１７】図１６中のテープカセット押し出し機構及びスライドカムロック機構を示す図である。
【図１８】テープカセット押し出し機構を分解して示す斜視図である。
【図１９】図１８中のワンウェイカムを示す斜視図である。
【図２０】スライドカムロック機構を分解して示す斜視図である。
【図２１】テープカセット押し出し機構のスケルトン図である。
【図２２】テープカセット移動機構によってテープカセットがイジェクトされたときの状態を示す図である。
【図２３】テープカセット押し出し機構が動作してテープカセットロングイジェクトがなされたときの状態を示す図である。
【図２４】テープカセット押し出し機構が動作するときのプッシュレバー組立体の動作を示す図である。
【図２５】テープカセットの押し出しが途中で制限されたときの状態を示す図である。
【図２６】テープカセットの押し出しが途中で制限されたときのプッシュレバー組立体の動作を示す図である。
【図２７】テープカセットロングイジェクト動作時のロック解除機構の動作を示す図である。
【図２８】従来のテープカセット記録再生装置を示す図である。
【図２９】図２８のテープカセット記録再生装置の分解斜視図である。
【符号の説明】
【０１１５】
１０  テープカセット
１１  磁気テープ
２０  テープカセット記録再生装置
２１  シャーシ
２１ｇ  切欠部
２２  回転ドラム
２３  テープローディング機構
２４  モータ
２５  円板カム
３０  テープカセットホルダ
４１  スライドカム
５１  回動アーム
６０  ロック解除機構
６１  プレート
６２  逆Ｔ字形プレート
６２ｂ、６２ｃ  長穴
６３  Ｘ１側アーム
６３ａ  ピン
６３ｂ  ローラ
６４  Ｘ２側アーム
６４ａ  ピン
６４ｂ  ローラ
６９  余裕
８０  スライドカムロック機構
８１  中間レバー
８２  ロックレバー
８３  引っ張りコイルばね
１２０  テープカセット記録再生装置
１２１  シャーシ
１２２  回転ドラム
１２３  テープローディング機構
１２４  モータ
１２５  円板カム
１３０  テープカセットホルダ
１４０  テープカセットホルダ移動機構
１４１  スライドカム
１５０  テープカセットロングイジェクト機構
１５１  回動アーム
１６０  テープカセット押し出し機構
１６１  スライドプレート
１６２  回動レバー
１６３  リンク
１６４  回動レバー
１６５  プッシュレバー
１６５Ａ  プッシュレバー組立体
１６６  補助レバー
１６７  テープカセット押し出し板
１６８  捩りコイルばね
１６９  捩りコイルばね
１７０  ワンウェイカム
１８０  スライドカムロック機構
１８１  中間レバー
１８２  ロックレバー
１８３  引っ張りコイルばね
【図１】
2007200438.tif 000003
【図２】
2007200438.tif 000004
【図３】
2007200438.tif 000005
【図４】
2007200438.tif 000006
【図５】
2007200438.tif 000007
【図６】
2007200438.tif 000008
【図７】
2007200438.tif 000009
【図８】
2007200438.tif 000010
【図９】
2007200438.tif 000011
【図１０】
2007200438.tif 000012
【図１１】
2007200438.tif 000013
【図１２】
2007200438.tif 000014
【図１３】
2007200438.tif 000015
【図１４】
2007200438.tif 000016
【図１５】
2007200438.tif 000017
【図１６】
2007200438.tif 000018
【図１７】
2007200438.tif 000019
【図１８】
2007200438.tif 000020
【図１９】
2007200438.tif 000021
【図２０】
2007200438.tif 000022
【図２１】
2007200438.tif 000023
【図２２】
2007200438.tif 000024
【図２３】
2007200438.tif 000025
【図２４】
2007200438.tif 000026
【図２５】
2007200438.tif 000027
【図２６】
2007200438.tif 000028
【図２７】
2007200438.tif 000029
【図２８】
2007200438.tif 000030
【図２９】
2007200438.tif 000031